(57)【要約】【課題】  本発明は電磁アクチュエータを備えたレンズシャッタ装置に関し、電磁アクチュエータ周りを縮小してレンズシャッタ装置の小型化を実現することを目的とする。【解決手段】  シャッタ羽根部材駆動部材５０は、リング部５１とこのリング部から外方向に延在している腕部５２とを有し、リング部をベース基板３０のリング状段部３６にガイドされつつ回動可能に支持されている。電磁アクチュエータ１１は、永久磁石・ヨーク組立体１２と、ボビン・コイル体２０とよりなり、ボビン・コイル体２０がシャッタ羽根部材駆動部材５０の腕部５２に固定してある。ボビン・コイル体２０は、シャッタ羽根部材駆動部材５０を介してベース基板３０のリング状段部３６によってガイドされつつ移動される。【選択図】  図１
2005208489.tif 000002
【特許請求の範囲】
【請求項１】
ベース基板と、
該ベース基板に支持されており、撮影用開口を遮蔽するシャッタ羽根部材と、
リング形状であるリング部を有し、該リング部を上記ベース基板によってガイドされつつ回動可能に支持されており、往復回動されて、上記シャッタ羽根部材を動作させるシャッタ羽根部材駆動部材と、
永久磁石・ヨーク組立体と、移動可能であるボビン・コイル体とを有し、該ベース基板の張り出し部に設けてあり、駆動されて上記シャッタ羽根部材駆動部材を動作させる電磁アクチュエータとを有してなるシャッタ装置において、
上記シャッタ羽根部材駆動部材は、そのリング部から外方向に延在している腕部を有し、
該腕部に、上記電磁アクチュエータのボビン・コイル体が固定してあり、
該ボビン・コイル体は、上記シャッタ羽根部材駆動部材を介して上記ベース基板によってガイドされつつ移動される構成としたことを特徴としたシャッタ装置。
【請求項２】
請求項１に記載のカメラ用シャッタ装置において、
上記ボビン・コイル体を直接にガイドするガイド機構を備えた構成としたことを特徴としたシャッタ装置。
【請求項３】
請求項２に記載のカメラ用シャッタ装置において、
上記ガイド機構は、ボビン・コイル体の下側のフランジ部と上側のフランジ部とを上下から挟む構成としたことを特徴としたシャッタ装置。
【請求項４】
ベース基板と、
該ベース基板に支持されており、撮影用開口を遮蔽するシャッタ羽根部材と、
リング形状であるリング部を有し、該リング部を上記ベース基板によってガイドされつつ回動可能に支持されており、往復回動されて、上記シャッタ羽根部材を動作させるシャッタ羽根部材駆動部材と、
永久磁石・ヨーク組立体と、移動可能であるボビン・コイル体とを有し、該ベース基板の張り出し部に設けてあり、駆動されて上記シャッタ羽根部材駆動部材を動作させる電磁アクチュエータとを有してなるシャッタ装置において、
上記電磁アクチュエータは、ボビン・コイル体を直線移動させるガイド機構を有する構成であり、
上記ボビン・コイル体から延びている腕部材を有し、
該腕部材に形成してある長い穴が、上記シャッタ羽根部材駆動部材上のピン部材に嵌合してあり、
上記電磁アクチュエータの該ボビン・コイル体が上記ガイド機構によって案内されて直線移動され、
上記腕部材、長い穴、ピン部材を介して上記シャッタ羽根部材駆動部材が往復回動される構成としたことを特徴としたシャッタ装置。
【請求項５】
永久磁石・ヨーク組立体とボビン・コイル体とを有してなり、シャッタ装置に組み込まれてシャッタ羽根部材を動作させる電磁アクチュエータであって、
該ボビン・コイル体のボビンのフランジ部は、ガイドされるための張り出し部を有する構成としたことを特徴とする電磁アクチュエータ。
【発明の詳細な説明】
【技術分野】
【０００１】
本発明はシャッタ装置に係り、特に電磁アクチュエータによって駆動されるレンズシャッタ装置に関する。
【背景技術】
【０００２】
電磁アクチュエータによって駆動されるレンズシャッタ装置はフィルムカメラ及び電子カメラに組み込んである。
【０００３】
レンズシャッタ装置の駆動源としての電磁アクチュエータは、永久磁石・ヨーク組立体が固定であり、ボビン・コイル体が移動可能に設けてあり、コイルにシャッタ信号電流が通電されると発生した電磁力によってボビン・コイル体が駆動される構成である。また、レンズシャッタ装置は、電磁アクチュエータがレンズシャッタ装置のベース基板上に搭載してあり、電磁アクチュエータを一体的に備えた構成である。フィルムカメラ及び電子カメラの小型化に伴なって、このレンズシャッタ装置は小型化が求められている。
【０００４】
従来のレンズシャッタ装置は、電磁アクチュエータの部分についてみると、ボビン・コイル体の一端側が軸部材に往復回動可能に支持されている構成であり、且つこの軸部材がレンズシャッタ装置のうちの外側の位置に配置してある構成である。
【特許文献１】特開２０００−３２１６２０号公報
【発明の開示】
【発明が解決しようとする課題】
【０００５】
ここで、ボビン・コイル体を支持する軸部材が電磁アクチュエータの部分よりもレンズシャッタ装置の外側の位置に配置してある構成であるため、この軸部材がレンズシャッタ装置の小型化を図る上で障害となっていた。
【０００６】
本発明は、上記の点に鑑みなされたものであり、小型化を実現できるシャッタ装置を提供することを目的とする。
【課題を解決するための手段】
【０００７】
そこで、上記課題を解決するため、本発明は、ベース基板と、
該ベース基板に支持されており、撮影用開口を遮蔽するシャッタ羽根部材と、
リング形状であるリング部を有し、該リング部を上記ベース基板によってガイドされつつ回動可能に支持されており、往復回動されて、上記シャッタ羽根部材を動作させるシャッタ羽根部材駆動部材と、
永久磁石・ヨーク組立体と、移動可能であるボビン・コイル体とを有し、該ベース基板の張り出し部に設けてあり、駆動されて上記シャッタ羽根部材駆動部材を動作させる電磁アクチュエータとを有してなるシャッタ装置において、
上記シャッタ羽根部材駆動部材は、そのリング部から外方向に延在している腕部を有し、
該腕部に、上記電磁アクチュエータのボビン・コイル体が固定してあり、
該ボビン・コイル体は、上記シャッタ羽根部材駆動部材を介して上記ベース基板によってガイドされつつ移動される構成としたことを特徴とする。
【発明の効果】
【０００８】
本発明によれば、シャッタ羽根部材駆動部材のリング部のベース基板に対する支持の構造を利用することによって、電磁アクチュエータについてはボビン・コイル体の移動の経路を定める専用の部品、即ち、従来例における軸部材が不要となり、小型化が可能となる。
【発明を実施するための最良の形態】
【０００９】
次に本発明の実施の形態について説明する。
［実施例１］
図１乃至図３は本発明の実施例１になるレンズシャッタ装置１０であり、電磁アクチュエータ１１を備えた構造である。レンズシャッタ装置１０は、ベース基板３０と、円状に並んでおり撮影用開口７０を遮蔽する５枚のシャッタ羽根部材４０と、シャッタ羽根駆動用部材５０と、カバー部材６０と、電磁アクチュエータ１１とを有する構成である。
【００１０】
ベース基板３０及びカバー部材６０は、撮影用開口７０用の開口３１、６１を有する。ベース基板３０は、円形の部分３２とこの円形の部分から外側に扇状に張り出している部分３３とを有する。円形の部分３２には、その上面のうち撮影用開口３１の周囲の部分に、シャッタ羽根部材４０が収まるシャッタ羽根部材収容凹部３４を有し、且つ、このシャッタ羽根部材収容凹部３４の周囲の部分に、シャッタ羽根駆動用部材５０が収まるシャッタ羽根駆動用部材収容凹部３５を有する。凹部３４にシャッタ羽根用の穴３４ａが形成してある。３６は凹部３４の外周のリング状段部であり、シャッタ羽根駆動用部材５０の回動を案内するガイドとして機能する。扇状張り出し部分３３は電磁アクチュエータ１１を支持して固定する役割を有する。
【００１１】
シャッタ羽根駆動用部材５０は、リング部５１と、このリング部５１から外方向に延在している腕部５２と、腕部５２の先端のボビン半体部５３とを有する。ボビン半体部５３は、フランジ部５４と、フランジ部５４の中心部に下方に突き出している連結用突起部５５とを有する。リング部５１は、放射状の長穴５１ａを複数有し、径方向の自由な変位を規制されて凹部３４に収まっており、外周部を段部３６に案内されつつ、往復回動可能である。
【００１２】
５枚のシャッタ羽根部材４０は、夫々２つのピン４１，４２がかしめてあり、一のピン４１を穴３４ａに、別のピン４２を長穴５１ａに嵌合させて円状に並んでおり、シャッタ羽根駆動用部材５０が回動することによって、穴３４ａに嵌合しているピン４１を中心に回動され、撮影用開口７０内に迫り出して撮影用開口７０を遮蔽する位置と、凹部３３内に後退して撮影用開口７０を開放させた位置との間で回動される。
【００１３】
カバー部材６０は、ベース基板３０上に固定してあり、シャッタ羽根駆動用部材５０のリング部５１を覆っている。腕部５２は、カバー部材６０の切欠部６２を通って外側に延在している。
【００１４】
電磁アクチュエータ１１は、固定構造体である永久磁石・ヨーク組立体１２と、永久磁石・ヨーク組立体１２の空間２９内に配されている移動構造体であるボビン・コイル体２０とよりなる。永久磁石・ヨーク組立体１２は、扇状張り出し部分３３上に固定してある。永久磁石・ヨーク組立体１２は、扇状張り出し部分３３上に固定してあって、両側が立ち上がっているＵ字形状の下側ヨーク１３と、下側ヨーク１３上に固定されてレンズシャッタ装置１０の周方向に並んでいる下側の板状の永久磁石片１４，１５と、下側ヨーク１３の両側の立ち上がっている部分を跨いでいる板状の上側ヨーク１６と、上側ヨーク１６の下面に固定されてレンズシャッタ装置１０の周方向に並んでいる上側の板状の永久磁石片１７，１８とよりなる。図４に示すように、永久磁石片１４，１５、１７，１８は共に厚さ方向に着磁してあり、上下方向上対向している永久磁石片１４、１７は、例えば、上側がＮ極、下側がＳ極とされており、上下方向上対向している永久磁石片１５、１８は、例えば、上側がＳ極、下側がＮ極とされている。上下方向上対向している永久磁石片の間の空間２９に磁界が形成されている。
【００１５】
ボビン・コイル体２０は、ボビン半体２１と、コイル２５と、前記のボビン半体部５３とよりなる。ボビン半体２１は、フランジ部２２と、フランジ部２２の中心部に上方に突き出している中空であり断面が四角形状の巻き芯部２３とよりなる。コイル２５は、電線が巻き芯部２３の周囲に巻かれて形成してあり、フランジ部２２上に支持されている。コイル２５を有するボビン半体２１が、前記の連結用突起部５５に嵌合してある。フランジ部５４がコイル２５の上面を覆っている。よって、ボビン・コイル体２０は、シャッタ羽根駆動用部材５０の腕部５２の先端に固定してあり、永久磁石・ヨーク組立体１２の空間２９内に収まっている。
【００１６】
上記構成のレンズシャッタ装置１０は以下のように動作する。コイル２５にシャッタ信号電流が通電されると、ボビン・コイル体２０に周方向の駆動力が発生し、シャッタ羽根駆動用部材５０のリング部５１が段差部３５に案内されつつ回動され、シャッタ羽根部材４０が往復回動されて、撮影用開口７０が一時的に開かれる。このとき、ボビン・コイル体２０はシャッタ羽根駆動用部材５０を介してリング状段部３６に案内されつつＸ１方向に図４中二点鎖線で示す位置まで移動し、その後にＸ２方向に移動して、往復移動される。
【００１７】
上記の構成のレンズシャッタ装置１０は、ボビン・コイル体２０を支持するための軸を有していないため、ベース基板３０はこの軸をかしめるための外側への張り出し部を必要とせず、よって、扇状張り出し部分３３のレンズシャッタ装置１０の径方向の寸法を小さく出来、よって、レンズシャッタ装置１０は従来に比較して小さいサイズに出来る。
【００１８】
なお、永久磁石・ヨーク組立体１２は、上側の永久磁石片１７，１８を有しない構成にも出来る。
［実施例２］
図５乃至図７は本発明の実施例２になるレンズシャッタ装置１０Ａを示す。レンズシャッタ装置１０Ａは、図１乃至図３に示すレンズシャッタ装置１０とは、電磁アクチュエータ１１Ａが相違する。電磁アクチュエータ１１Ａは、ボビン・コイル体２０Ａのフランジ部２２Ａのレンズシャッタ装置１０Ａの外側方向に張り出ている張り出し部２２Ａａが、ベース基板３０の扇状張り出し部分３３Ａの外側に形成してあるガイドレール部３３Ａａに嵌合している構造である。
【００１９】
ボビン・コイル体２０Ａは、第１には、シャッタ羽根駆動用部材５０を介して段部３６に案内されつつ、第２には、ガイドレール部３３Ａａに案内されつつ往復移動される。よって、ボビン・コイル体２０Ａは、実施例１のレンズシャッタ装置１０のボビン・コイル体２０に比較してより安定に移動する。
［実施例３］
図８乃至図１０は本発明の実施例３になるレンズシャッタ装置１０Ｂを示す。レンズシャッタ装置１０Ｂは、図１乃至図３に示すレンズシャッタ装置１０とは、電磁アクチュエータ１１Ｂが相違する。電磁アクチュエータ１１Ｂは、図５乃至図７図に示す電磁アクチュエータ１１Ａの変形例的なものであり、ボビン・コイル体２０Ｂが、下側のフランジ部２２Ｂと上側のフランジ部５４Ｂとが案内される構成である。
【００２０】
ボビン・コイル体２０Ｂの下側のフランジ部２２Ｂのレンズシャッタ装置１０Ｂの外側方向に張り出ている端の下向きのリブ部２２Ｂａがガイドレール部８０に嵌合しており、上側のフランジ部５４Ｂのレンズシャッタ装置１０Ｂの外側方向に張り出ている端の上向きのリブ部５４Ｂａがガイドレール部８１に嵌合している。
【００２１】
９０はガイドレール部材であり、永久磁石・ヨーク組立体１２の外側に、永久磁石・ヨーク組立体１２と扇状張り出し部分３３Ｂとにまたがって固定してある。ガイドレール部８０は、扇状張り出し部分３３Ｂの外側の溝部３３Ｂａとガイドレール部材９０とによって形成してある。ガイドレール部８１はガイドレール部材９０自体に形成してある。
【００２２】
ボビン・コイル体２０Ａは、第１には、シャッタ羽根駆動用部材５０を介して段部３６に案内されつつ、第２には、ガイドレール部８０及びガイドレール部８２に案内されつつ往復移動される。ボビン・コイル体２０Ａは、外側についてみると、下側のフランジ部２２Ｂと上側のフランジ部５４Ｂとを上下から挟み込まれており、上記実施例２に比較して外部からの衝撃及び振動による影響を受け難く、更に安定に移動する。
［実施例４］
図１１乃至図１３は本発明の実施例４になるレンズシャッタ装置１０Ｃを示す。レンズシャッタ装置１０Ｃは、図１乃至図３に示すレンズシャッタ装置１０とは、電磁アクチュエータ１１Ｃが相違する。電磁アクチュエータ１１Ｃは、上記実施例３のレンズシャッタ装置１０Ｂの電磁アクチュエータ１１Ｂと実質上同じ構造であり、ボビン・コイル体２０Ｃが円弧ではなく直線上を移動する構成である。
【００２３】
電磁アクチュエータ１１Ｃは、永久磁石・ヨーク組立体１２Ｃとボビン・コイル体２０Ｃとよりなり、ボビン・コイル体２０Ｃがガイドレール部８０及びガイドレール部８２に案内されつつＸ１１−Ｘ１２方向に直線的に往復移動される構成である。
【００２４】
リング部５１Ｃと腕部５２Ｃとは別部材であり、腕部５２Ｃの長穴５２Ｃａがリング部５１Ｃ上のピン５１Ｃｂと嵌合して、腕部５２Ｃがリング部５１Ｃと連結してある。
【００２５】
電磁アクチュエータ１１Ｃが駆動されてボビン・コイル体２０Ｃがガイドレール部８０及びガイドレール部８２に案内されつつＸ１１−Ｘ１２方向に直線的に往復移動されると、腕部５２Ｃを介してリング部５１Ｃが往復回動されて、シャッタ羽根部材４０が動作される。
【００２６】
図１４にボビン・コイル体２０ＣのストロークＳ１は、ボビン・コイル体が円弧に沿って移動する場合のストロークＳ２に比べて短くて足りる。よって、電磁アクチュエータ１１Ｃは、実施例１，２，３の電磁アクチュエータ１１、１１Ａ，１１Ｂに比べてサイズは小さくなる。
【図面の簡単な説明】
【００２７】
【図１】本発明の実施例１になるレンズシャッタ装置の分解斜視図である。
【図２】図１のレンズシャッタ装置の平面図である。
【図３】図２中、III−III線に沿うレンズシャッタ装置の断面図である。
【図４】図２中、IV−IV線に沿う電磁アクチュエータの断面図である。
【図５】本発明の実施例２になるレンズシャッタ装置の分解斜視図である。
【図６】図５のレンズシャッタ装置の平面図である。
【図７】図６中、VII−VII線に沿うレンズシャッタ装置の断面図である。
【図８】本発明の実施例３になるレンズシャッタ装置の分解斜視図である。
【図９】図８のレンズシャッタ装置の平面図である。
【図１０】図９中、X−X線に沿うレンズシャッタ装置の断面図である。
【図１１】本発明の実施例４になるレンズシャッタ装置の分解斜視図である。
【図１２】図１１のレンズシャッタ装置の平面図である。
【図１３】図１２中、XIII−XIII線に沿うレンズシャッタ装置の断面図である。
【図１４】電磁アクチュエータのボビン・コイル体のストロークを説明する図である。
【符号の説明】
【００２８】
１０、１０Ａ〜１０Ｃ  レンズシャッタ装置
１１  電磁アクチュエータ
１２  永久磁石・ヨーク組立体
１３、１６  ヨーク
１４，１５、１７，１８  永久磁石片
２０  ボビン・コイル体
２１  ボビン半体
２２  フランジ部
２２Ａａ  張り出し部
２３  巻き芯部
２５  コイル
２９  空間
３０  ベース基板
３３  扇状張り出し部分
３３Ａａ  ガイドレール部
３４  シャッタ羽根部材収容凹部
３５  シャッタ羽根駆動用部材収容凹部
３６  リング状段部
４０  シャッタ羽根部材
５０  シャッタ羽根駆動用部材
５１  リング部
５２  腕部
５３  ボビン半体部
５４  フランジ部
５５  連結用突起部
６０  カバー部材
８０，８１  ガイドレール部
９０  ガイドレール部材
【図１】
2005208489.tif 000003
【図２】
2005208489.tif 000004
【図３】
2005208489.tif 000005
【図４】
2005208489.tif 000006
【図５】
2005208489.tif 000007
【図６】
2005208489.tif 000008
【図７】
2005208489.tif 000009
【図８】
2005208489.tif 000010
【図９】
2005208489.tif 000011
【図１０】
2005208489.tif 000012
【図１１】
2005208489.tif 000013
【図１２】
2005208489.tif 000014
【図１３】
2005208489.tif 000015
【図１４】
2005208489.tif 000016